(57)【要約】  【課題】  制御対象であるＣＥＣ機器がどのベンダーであっても制御可能なＣＥＣ制御装置を提供する。  【解決手段】  ＣＥＣ機器ＭＡと接続がなされるとＣＥＣ機器へベンダーコードを問い合わせるベンダーコード取得指示手段３１を備え、且つ、取得したベンダーコードに対応して記憶されているＣＥＣ制御情報の参照場所を記憶可能な記憶手段３２を備える制御手段３と、予め複数のベンダーに対応したＣＥＣ制御情報をベンダー毎に記憶させた制御情報記憶部４と、リモコンＲＣから信号受信して復調しＣＥＣ制御信号を取得可能な受信信号復調手段２２を有する受光ユニット２とからなる。  制御手段３は、取得したベンダー情報に基づいてリモコンＲＣから送信された制御に対応するベンダーに対応したコントロール情報を制御情報記憶部４から取得し、外部接続されるＣＥＣ機器ＭＡへ出力する。【選択図】  図２
2009194830.tif 000002
【特許請求の範囲】
【請求項１】
リモートコントローラーから発信された制御信号を受信し受信した制御信号からＣＥＣ機器の制御信号を特定してＣＥＣ機器と通信可能な制御装置であって、
ＣＥＣ制御信号を送受信可能にＣＥＣ機器と接続する接続インターフェースを備え、インターフェースを介して制御対象ＣＥＣ機器と通信するＣＥＣ制御信号を変復調可能なＣＥＣ変復調手段を備え、ＣＥＣ機器と接続がなされるとＣＥＣ機器へベンダーコードを問い合わせＣＥＣ機器から送信されるベンダーコードを受領するベンダーコード取得指示手段を備え、且つ、取得したベンダーコードを記憶可能な記憶手段を備える制御手段と、制御手段と信号入出力可能に接続され、予め複数のベンダーに対応したＣＥＣ制御情報をベンダーコードによって特定されるベンダー毎に対応させて記憶させた制御情報記憶手段と、制御手段と信号入出力可能に接続され、リモートコントローラーから発信された制御信号を受信する受信手段を有すると共に、受信手段が受信した制御信号を受領して信号を復調しＣＥＣ制御信号を取得可能な受信信号復調手段を有する受光ユニットとからなり、
制御手段は、記憶手段へ記憶したベンダーコードと受光ユニットが受信した制御信号とから制御情報記憶手段に記憶されている制御対象ＣＥＣ機器に対応するＣＥＣ制御情報を取得してＣＥＣ変復調手段によって変調を行い接続インターフェースを通してＣＥＣ機器へ送信可能なことを特徴とするＣＥＣ制御装置。
【請求項２】
リモートコントローラーから発信された制御信号を受信し受信した制御信号からＣＥＣ機器の制御信号を特定してＣＥＣ機器と通信可能な制御装置であって、
ＣＥＣ制御信号を送受信可能にＣＥＣ機器と接続する接続インターフェースを備え、インターフェースを介してＣＥＣ機器と通信するＣＥＣ制御信号を変復調可能なＣＥＣ変復調手段を備え、ＣＥＣ機器と接続がなされるとＣＥＣ機器へベンダーコードを問い合わせＣＥＣ機器から送信されるベンダーコードを受領するベンダーコード取得指示手段を備え、且つ、取得したベンダーコードを記憶可能な記憶手段を備える制御手段と、制御手段と信号入出力可能に接続され、予め複数のベンダーに対応したＣＥＣ制御情報をベンダーコードによって特定されるベンダー毎に対応させて記憶させた制御情報記憶手段と、制御手段と信号入出力可能に接続され、リモートコントローラーから発信された制御信号を受信する受信手段を有すると共に、受信手段が受信した制御信号を受領して信号を復調しＣＥＣ制御信号を取得可能な受信信号復調手段を有する受光ユニットとからなり、
制御手段では、接続がなされて取得したベンダーコードを制御手段の記憶手段へ記憶することで制御情報記憶手段から対応するＣＥＣ制御情報を取得可能とし、
受光ユニットがリモートコントローラーから制御信号を受信し復調して制御信号を取得し制御手段へ出力すると、制御手段は受領した制御信号と先に取得して記憶している制御対象ＣＥＣ機器のベンダーコードとから制御対象ＣＥＣ機器に対応するＣＥＣ制御情報を制御情報記憶手段から選択して受領し、ＣＥＣ変復調手段によって変調を行い接続インターフェースを通してＣＥＣ機器へ送信可能なことを特徴とするＣＥＣ制御装置。
【請求項３】
リモートコントローラーから発信された制御信号を受信し受信した制御信号からＣＥＣ機器の制御信号を特定してＣＥＣ機器と通信可能な制御装置であって、
ＣＥＣ制御信号を送受信可能にＣＥＣ機器と接続する接続インターフェースを備え、インターフェースを介してＣＥＣ機器と通信するＣＥＣ制御信号を変復調可能なＣＥＣ変復調手段を備え、ＣＥＣ機器と接続がなされるとＣＥＣ機器へベンダーコードを問い合わせＣＥＣ機器から送信されるベンダーコードを受領するベンダーコード取得指示手段を備え、且つ、取得したベンダーコードに対応して記憶されているＣＥＣ制御情報の参照場所を記憶可能な記憶手段を備える制御手段と、制御手段と信号入出力可能に接続され、予め複数のベンダーに対応したＣＥＣ制御情報をベンダーコードによって特定されるベンダー毎に対応させて記憶させた制御情報記憶手段と、制御手段と信号入出力可能に接続され、リモートコントローラーから発信された制御信号を受信する受信手段を有すると共に、受信手段が受信した制御信号を受領して信号を復調しＣＥＣ制御信号を取得可能な受信信号復調手段を有する受光ユニットとからなり、
制御手段では、接続がなされて取得したベンダーコードによって特定されるベンダーに対応したＣＥＣ制御情報を記録している制御情報記憶手段の記憶箇所を制御手段の記憶手段へ記憶することで制御情報記憶手段から対応するＣＥＣ制御情報を取得可能とし、
受光ユニットがリモートコントローラーから制御信号を受信し復調して制御信号を取得し制御手段へ出力すると、制御手段は受領した制御信号と先に取得して記憶している制御対象ＣＥＣ機器のベンダーコードとから制御対象ＣＥＣ機器に対応するＣＥＣ制御情報を制御情報記憶手段から選択して受領し、ＣＥＣ変復調手段によって変調を行い接続インターフェースを通してＣＥＣ機器へ送信可能なことを特徴とするＣＥＣ制御装置。
【発明の詳細な説明】
【技術分野】
【０００１】
この発明は、Consumer Electronics Controlコマンドを用いるハイ−デフィニション マルチメディアインタフェース規格に準拠している電気製品を操作するための汎用性のあるＣＥＣ制御装置に関する。
【背景技術】
【０００２】
現在、液晶テレビやオーディオ機器、更にはこれらに接続して用いる録音や録画機器など広くＡＶ機器のコントロールを行う規格としてハイ−デフィニション・マルチメディア・インタフェース（以下、単にＨＤＭＩという。）がある。
ＨＤＭＩは既に規格化されており、その規格の中の一つにコンシューマー・エレクトロニクス・コントロール（以下、単にＣＥＣという。）がある。ＣＥＣは家電製品の電源制御や操作を制御するコマンドが定義されており、例えば、ＤＶＤへの録画あるいは再生が可能なＤＶＤプレーヤなどでは、電源のＯＮやＯＦＦに加え再生および録画等の制御コマンドが定義されている。
そしてこれらＣＥＣコマンドによるＡＶ機器の制御は、遠隔操作可能なリモコン装置によって行われている。
【０００３】
以下に、ＤＶＤプレーヤを例に、テレビに接続された状態でテレビを経由して制御されるＤＶＤプレーヤのＣＥＣコマンドによる制御を説明する。
従来例を表す図３では、液晶テレビ１００とＤＶＤプレーヤ１０１とがＨＤＭＩ接続コード１０２によって接続されている。これら液晶テレビ１００およびＤＶＤプレーヤ１０１はそれぞれＨＤＭＩの規格であるＣＥＣコマンドによる制御機能を備えＣＥＣ規格に準拠している。液晶テレビ１００およびＤＶＤプレーヤ１０１は、それぞれ異なるメーカーの製品である。
１０４は受信ユニットであり、リモートコントローラー１０３から送られて来る制御信号を受信し、やはりＣＥＣ規格に準拠した制御信号へ変換し、ＨＤＭＩ接続コードによって接続されている液晶テレビ１００あるいはＤＶＤプレーヤ１０１などへ送信可能である。
この従来例では説明のため受信ユニット１０４は液晶テレビ１００およびＤＶＤプレーヤ１０１とは別に受信ユニット１０４のみの構成としてあり、リモートコントローラー１０３から受信する制御信号に則ってそれぞれ制御されるように記載するが、受信ユニット１０４は、ＣＥＣ規格に準拠した機器に内蔵されているのが一般的であり、また、パーソナルコンピュータシステムにＵＳＢ接続されて用いる形態であってもよい。
【０００４】
受信ユニット１０４は、制御部１０６を有し、またリモートコントローラー１０３からの信号を受領する受信部１０５を有する。また、受信部１０５が受信した制御信号を復調してＣＥＣ規格に準拠したＣＥＣコマンドに変換する受信信号復調部１０８を有している。そして受信部１０５は常に制御信号の受信を待機しており、制御信号の受信があると制御部１０６が受信した制御信号を受信信号復調部１０８に復調させてＣＥＣコマンドに置き換え、ＣＥＣコマンドとして出力する。
また、受信ユニット１０４には、ＣＥＣ制御情報を記憶しておく記憶手段１０７を備えており、記憶手段１０７には、リモートコントローラー１０３から受信して復調した制御信号から得られる信号に対応したＣＥＣ制御情報を記憶してある。そして、制御部１０６では、復調した制御信号に基づいて記憶手段１０７から対応するＣＥＣ制御取得してＣＥＣコマンドとしてＣＥＣ接続を含むＨＤＭＩ接続コード１０２を経由させてＣＥＣ機器へ出力可能である。
【０００５】
ＣＥＣ規格に準拠した情報としてＣＥＣ規格に準拠した機器（以下、単にＣＥＣ機器という。）には、製品の製造元となるベンダーを特定するベンダー情報と、自身の機器種別を特定するデバイス種別情報とを有している。
一方ＣＥＣ規格に準拠して制御するためのＣＥＣコマンドの中には、ＣＥＣ機器を制御するための機器制御コマンドを有しており、この機器制御コマンドは具体的には電源のＯＮ・ＯＦＦやＤＶＤ映像の再生や録画等を行わせるコマンドである。更に、ＣＥＣコマンドには、コマンド自体にデバイス種別情報を含んでおり、また、ベンダー情報を出力させるベンダー取得コマンドを有している。そして、ＣＥＣコマンドによる制御では、機器制御コマンドはベンダー情報およびデバイス種別情報と組み合わされて特定されており、ベンダーとデバイス毎に異なるコマンド体系をとっている。
具体的には、Ａ社のＤＶＤプレーヤとＢ社のＤＶＤプレーヤとでは機器制御コマンドは異なっており、Ａ社のＤＶＤプレーヤ用の機器制御コマンドをＢ社のＤＶＤプレーヤが受領しても、Ｂ社のＤＶＤプレーヤは動作しないようになっている。
【０００６】
またＣＥＣ規格に準拠したＨＤＭＩ接続コードによる接続では、接続されている全てのＣＥＣ機器にＣＥＣ制御情報あるいはＣＥＣコマンドが出力されるように、ＨＤＭＩ接続は一本の信号線のように接続され、各ＣＥＣ機器はこの接続コードに並列に接続されたように接続されている。従って何れかの位置からＣＥＣコマンドが出力されると全てのＣＥＣ機器が受領し、自身に対応したＣＥＣコマンドであればこのＣＥＣコマンドに基づいた動作を行うが、自身に対応していないＣＥＣコマンドであれば制御情報として認識せずに何ら動作を行わないこととなる。
一方、デバイスコマンドやベンダー取得コマンドのような個別制御に関しないコマンドは、全てのＣＥＣ機器で認識されて動作が行われる。
【０００７】
図３に表すような従来のＣＥＣ機器の接続においては、受信ユニット１０４は自身が備えられている機器のベンダーに対応したＣＥＣコマンドが記憶手段１０７に記憶されている。従って、リモートコントローラー１０３から受信ユニット１０４に制御信号を送信して受信ユニット１０４の受信部１０５が制御信号を受信することとなる。
制御信号を受信した受信ユニット１０４では、制御部１０６が受領した制御信号を受信信号復調部１０８へ送り受信した制御信号を解析する。そして、受信信号復調部１０８は解析した制御信号を再び制御部１０６へ出力する。制御部１０６では復調された制御信号に対応するＣＥＣ制御情報を記憶手段１０７へ参照に行き、対応するＣＥＣ制御情報を読み込む。続いて制御部１０６は読み込んだＣＥＣ制御情報をＨＤＭＩ接続コード１０２を経由させて出力する。
【０００８】
この時、リモートコントローラー１０３から受領した制御信号がテレビ１００を制御する信号である場合には、ＣＥＣ制御情報に制御するデバイスを特定するデバイスコマンドを含んでいる。このデバイスコマンドにより制御されるＣＥＣ機器が自身であることを認識してデバイスコマンドに対応した動作をするように自身を制御する。受領した制御信号がＤＶＤプレーヤ１０１の場合にも同様に、デバイスコマンドにはＤＶＤプレーヤ１０１を制御させるデバイスコマンドを含んでいる。
【発明の開示】
【発明が解決しようとする課題】
【０００９】
しかしながら、従来のＣＥＣ機器の制御では、記憶手段１０７に記憶されているＣＥＣ制御情報は、受信ユニット１０４が取付けられるＣＥＣ機器のベンダーに対応したもののみが記憶されており、ＣＥＣ機器の制御は同じベンダーの機器即ち、同じメーカーや同じシリーズの機器に限られているのが現状であり、ＣＥＣ機器全般の制御として汎用できていないという問題点を有した。
従って、ＣＥＣ機器を消費者が購入する際にも、同じメーカーや同シリーズのものに限定されてしまい、異なるメーカーのＣＥＣ機器を他のＣＥＣ機器に付随する受信ユニット１０４で制御するのは困難であるという問題点を有した。同様に期間を空けて購入したような場合には、同じメーカーであってもＣＥＣ制御のデバイスコマンドがベンダーに対応しておらず機器の制御が困難であるという問題点を有した。
特に、昨今では各家庭にパーソナルコンピュータＰＣが備えられており、ＣＥＣ機器をパーソナルコンピュータＰＣから制御することが望まれているが、パーソナルコンピュータＰＣからの制御でも、前記の通りパーソナルコンピュータＰＣのベンダーに対応したものとなってしまうので、汎用的なＣＥＣ機器の制御が出来ないという問題点を有した。
【００１０】
この発明では上記問題点に鑑み、如何なるベンダーのＣＥＣ機器の制御も可能なＣＥＣ制御装置を提供することを課題とする。
【課題を解決するための手段】
【００１１】
この発明は、上記問題点を解決するために、汎用性の高いＣＥＣ制御装置として、
【００１２】
リモートコントローラーから発信された制御信号を受信し受信した制御信号からＣＥＣ機器の制御信号を特定してＣＥＣ機器と通信可能な制御装置であって、
ＣＥＣ制御信号を送受信可能にＣＥＣ機器と接続する接続インターフェースを備え、インターフェースを介して制御対象ＣＥＣ機器と通信するＣＥＣ制御信号を変復調可能なＣＥＣ変復調手段を備え、ＣＥＣ機器と接続がなされるとＣＥＣ機器へベンダーコードを問い合わせＣＥＣ機器から送信されるベンダーコードを受領するベンダーコード取得指示手段を備え、且つ、取得したベンダーコードを記憶可能な記憶手段を備える制御手段と、制御手段と信号入出力可能に接続され、予め複数のベンダーに対応したＣＥＣ制御情報をベンダーコードによって特定されるベンダー毎に対応させて記憶させた制御情報記憶手段と、制御手段と信号入出力可能に接続され、リモートコントローラーから発信された制御信号を受信する受信手段を有すると共に、受信手段が受信した制御信号を受領して信号を復調しＣＥＣ制御信号を取得可能な受信信号復調手段を有する受光ユニットとからなり、
制御手段は、記憶手段へ記憶したベンダーコードと受光ユニットが受信した制御信号とから制御情報記憶手段に記憶されている制御対象ＣＥＣ機器に対応するＣＥＣ制御情報を取得してＣＥＣ変復調手段によって変調を行い接続インターフェースを通してＣＥＣ機器へ送信可能なことを特徴とするＣＥＣ制御装置、
【００１３】
を提供すると共に、取得したベンダーコードと受信した制御信号とから制御情報記憶手段に記憶されている制御対象ＣＥＣ機器に対応するＣＥＣ制御情報の取得を、制御手段が受光ユニットから復調した制御信号を受領し、先に取得して記憶している制御対象ＣＥＣ機器のベンダーコードと対応して（紐付けて）制御情報記憶手段に記憶されているＣＥＣ制御情報を読み出し可能な装置として、
【００１４】
リモートコントローラーから発信された制御信号を受信し受信した制御信号からＣＥＣ機器の制御信号を特定してＣＥＣ機器と通信可能な制御装置であって、
ＣＥＣ制御信号を送受信可能にＣＥＣ機器と接続する接続インターフェースを備え、インターフェースを介してＣＥＣ機器と通信するＣＥＣ制御信号を変復調可能なＣＥＣ変復調手段を備え、ＣＥＣ機器と接続がなされるとＣＥＣ機器へベンダーコードを問い合わせＣＥＣ機器から送信されるベンダーコードを受領するベンダーコード取得指示手段を備え、且つ、取得したベンダーコードを記憶可能な記憶手段を備える制御手段と、制御手段と信号入出力可能に接続され、予め複数のベンダーに対応したＣＥＣ制御情報をベンダーコードによって特定されるベンダー毎に対応させて記憶させた制御情報記憶手段と、制御手段と信号入出力可能に接続され、リモートコントローラーから発信された制御信号を受信する受信手段を有すると共に、受信手段が受信した制御信号を受領して信号を復調しＣＥＣ制御信号を取得可能な受信信号復調手段を有する受光ユニットとからなり、
制御手段では、接続がなされて取得したベンダーコードを制御手段の記憶手段へ記憶することで制御情報記憶手段から対応するＣＥＣ制御情報を取得可能とし、
受光ユニットがリモートコントローラーから制御信号を受信し復調して制御信号を取得し制御手段へ出力すると、制御手段は受領した制御信号と先に取得して記憶している制御対象ＣＥＣ機器のベンダーコードとから制御対象ＣＥＣ機器に対応するＣＥＣ制御情報を制御情報記憶手段から選択して受領し、ＣＥＣ変復調手段によって変調を行い接続インターフェースを通してＣＥＣ機器へ送信可能なことを特徴とするＣＥＣ制御装置、
【００１５】
を提供する。従って、ＣＥＣ制御装置では、受光ユニットがリモートコントローラーから制御信号を受信すると、受信手段が信号を検出し受信信号復調手段へ出力する。受信信号復調手段では、受信した制御信号を復調して制御情報を得て制御手段へ出力する。
制御手段では、記憶手段からベンダーコードを読み出し、読み出したベンダーコードおよび受光ユニットから受領した制御信号に基づいて、読み出したベンダーコードに対応させて記憶されているＣＥＣ制御情報を御情報記憶手段へ問い合わせ、ベンダーコードに対応するＣＥＣ制御情報を制御情報記憶手段から読み込む。そして、読み込んだＣＥＣ制御情報をＣＥＣ制御信号を送信可能な送信信号変調手段によって変調させて、接続インターフェースを通してＣＥＣ機器へ送信する。するとＣＥＣ機器では、ベンダーコードに対応された正しいＣＥＣ制御情報なので、ＣＥＣ制御情報に基づいた動作を行う。
【００１６】
また、この発明では、
【００１７】
リモートコントローラーから発信された制御信号を受信し受信した制御信号からＣＥＣ機器の制御信号を特定してＣＥＣ機器へ送信可能な制御装置であって、
ＣＥＣ制御信号を送受信可能にＣＥＣ機器と接続する接続インターフェースを備え、ＣＥＣ機器と接続がなされるとＣＥＣ機器へベンダーコードを問い合わせＣＥＣ機器から送信されるベンダーコードを受領するベンダーコード取得指示手段を備え、且つ、取得したベンダーコードに対応して記憶されているＣＥＣ制御情報の参照場所を記憶可能な記憶手段を備える制御手段と、制御手段と信号入出力可能に接続され、予め複数のベンダーに対応したＣＥＣ制御情報をベンダーコードによって特定されるベンダー毎に対応させて記憶させた制御情報記憶手段と、制御手段と信号入出力可能に接続され、リモートコントローラーから発信された制御信号を受信する受信手段を有すると共に、受信手段が受信した制御信号を受領して信号を復調しＣＥＣ制御信号を取得可能な受信信号復調手段を有する受光ユニットと、ＣＥＣ制御信号を送信可能な送信信号変調手段とからなり、
制御手段では、接続がなされて取得したベンダーコードによって特定されるベンダーに対応したＣＥＣ制御情報を記録している制御情報記憶手段の記憶箇所を制御手段の記憶手段へ記憶することで制御情報記憶手段から対応するＣＥＣ制御情報を取得可能に設定し、
受光ユニットがリモートコントローラーから制御信号を受信し復調してＣＥＣ制御信号を取得し制御手段へ出力すると、制御手段は受領した制御信号と先に取得して記憶している制御対象ＣＥＣ機器のベンダーコードとから制御対象ＣＥＣ機器に対応するＣＥＣ制御情報を制御情報記憶手段から選択して受領し、接続インターフェースを通してＣＥＣ機器へ送信可能なことを特徴とするＣＥＣ制御装置、
【００１８】
を提供する。そして、ＣＥＣ制御装置では、接続インターフェースによるＣＥＣ機器との接続がなされると、ベンダーコード取得指示手段がＣＥＣ機器へベンダーコード出力の指示を行う。この指示に基づいて、接続されているＣＥＣ機器からベンダーコードが送られ制御手段が入力する。
制御手段では、入力したベンダーコードと対応して記憶されている制御情報記憶手段の記憶領域である参照箇所を制御情報記憶手段へ問い合わせ記憶手段へ記憶しておく。以後、記憶手段へ記憶した参照箇所がベンダーコードに対応したＣＥＣ制御情報の記憶箇所となる。
【００１９】
受光ユニットがリモートコントローラーから制御信号を受信すると、受信手段が信号を検出し受信信号復調手段へ出力する。受信信号復調手段では、受信した制御信号を復調して制御情報を得て制御手段へ出力する。
制御手段では、受光ユニットから受領した制御信号に対応するＣＥＣ制御情報を記憶手段に記憶された参照箇所から読み込む。そして、読み込んだＣＥＣ制御情報を接続インターフェースを通してＣＥＣ機器へ送信する。するとＣＥＣ機器では、ベンダーコードに対応された正しいＣＥＣ制御情報なので、ＣＥＣ制御情報に基づいた動作を行う。
【発明の効果】
【００２０】
この発明によれば、制御情報記憶手段に複数のベンダーコードに対応したＣＥＣ制御情報が該ベンダーコードと対応されて記憶されているので、ＣＥＣ制御装置に接続されるＣＥＣ機器が変わっても、接続が成されたＣＥＣ機器のベンダーコードを自動的に取得し、該ベンダーコードに対応したＣＥＣ制御情報を制御情報記憶手段から取得してＣＥＣ機器を制御可能なので汎用性が大きくベンダー間を越えたＣＥＣ機器の制御が可能となる。従って、従来はベンダーが異なってしまうことで同じＣＥＣ制御情報を送出してもＣＥＣ機器が動作しない場合が生じたが、ベンダーが異なっていてもそれぞれの機器に対応して動作可能なＣＥＣ制御情報を送信可能となる。
また、パーソナルコンピュータＰＣなどにこのＣＥＣ制御装置を設ければ、ＣＥＣ制御可能な家電製品の買い換えがあっても従来と同じリモートコントローラーによって使い慣れた操作が可能となる。
【発明を実施するための最良の形態】
【００２１】
ＣＥＣ制御装置１は、ＣＥＣ制御情報の送受信が可能なＣＥＣインターフェースＩＦを有し、ＣＥＣ機器ＭＡと接続される。ＣＥＣ制御装置１はパーソナルコンピュータの外付け機器としてＵＳＢ接続されてパーソナルコンピュータの一部として機能する。従って、ＣＥＣ制御装置１はパーソナルコンピュータの一部として説明する。
ＣＥＣ制御装置１は受光ユニット２を備える。受光部２は、リモートコントローラＲＣ（以下、リモコンＲＣと略記する。）からの制御信号を受光可能な受光部２１と、受光部２が受光した指示信号を解析可能な指示信号復調手段である指示信号デコード部２２とを有する。
また、ＣＥＣ制御装置１は、制御情報記憶部４を備える。制御情報記憶部４には、受光ユニット２でデコードされた制御信号に見合ったコントロール情報が記憶される。このコントロール情報は、ＣＥＣ機器ＭＡを制御可能な情報であり、ＣＥＣ機器ＭＡのベンダーコードによって特定されるベンダー毎にそのベンダーコードと紐付けてコントロール情報が記憶されている。
これら受光ユニット２および制御情報記憶部４は、制御手段である制御部３と情報授受可能に接続される。制御部３にはベンダーコード取得指示手段３１を備える。ベンダーコード取得指示手段３１は、ＣＥＣ制御装置１がＣＥＣ機器とインターフェースＩＦによって接続されＣＥＣ制御規格に備わる機能により接続確認がなされると、接続されたＣＥＣ機器ＭＡにベンダーコードを問い合わせ可能である。従って、ＣＥＣ機器ＭＡと接続がなされると自動的に接続されたＣＥＣ機器ＭＡからベンダーコードが送信されて制御部３で取得する。そして、取得したベンダーコードは制御部３に別途設ける記憶手段３２に記憶する。制御部３に備える記憶手段３２は、ベンダーコードを記憶すると、以後記憶されたベンダーコードに対応したコントロール情報を制御情報記憶部４へ問い合わせ可能とさせる。また、制御部３にはＣＥＣ変復調手段３４を備える。ＣＥＣ変復調手段３４は、ベンダーコード取得指示手段３１が接続されたＣＥＣ機器ＭＡへベンダーコードを問い合わせる際に、ベンダーコードを出力するように指示する信号を変調しインターフェースＩＦを介してＣＥＣ機器ＭＡへ出力可能である。また同様に、ＣＥＣ変復調手段３４は、制御部本体３３が記憶手段３２に記憶されているベンダーコードと受光ユニット２から入力される指示信号とから制御情報記憶部４に記憶されているコントロール情報を取得して後、該コントロール情報をＣＥＣ機器で受信可能に変調して出力可能に構成される。
【実施例１】
【００２２】
以下にこの発明の実施例を図面に基づき説明する。
図１は、この発明の概要を説明する接続説明図であり、図２はこの発明の実施例を表すブロック説明図である。
【００２３】
１はこの発明の実施例であるＣＥＣ制御装置である。ＣＥＣ制御装置１は、図１に表すようにパーソナルコンピュータＰＣ（以下、パソコンＰＣと略記する。）にＵＳＢ接続によって外部接続されてパソコンＰＣと一体となりＣＥＣ機器ＭＡの制御を行う装置として形成する。尚、実施例の説明では、パソコンＰＣがＯＳやアプリケーションソフトによって動作する機能については既知なので詳説しないが、パソコンＰＣに備わるＣＰＵやメモリ、ハードディスク、ディスプレイ、各種インターフェースなどによって、外部に接続された或はマザーボードに接続された機器の備える機能を発揮させ、パソコンＰＣと一体となって各種処理を行う。従って、ＣＥＣ制御装置１は、パソコンＰＣの備える機能とパソコンＰＣには不足している機能を外部装置として或は内蔵させることが出来る装置として形成され、パソコンＰＣと共に構成する。勿論、ＣＥＣ制御装置１は単独の装置としてもよく、或は、ＣＥＣ機器ＭＡに内蔵させパソコンＰＣの場合同様ＣＥＣ機器ＭＡの備える手段と共に構成してもよい。
【００２４】
パソコンＰＣと一体となって機能するＣＥＣ制御装置１は、パソコンＰＣに備えるインターフェースＩＦによってＣＥＣ機器ＭＡとＣＥＣ規格を備えて接続される。即ちＣＥＣ機能付きのＨＤＭＩ端子にＨＤＭＩケーブルＣＡによって接続される。そしてＣＥＣ制御装置１は、前記の通りパソコンＰＣとＣＥＣ制御装置本体１ａとによって構成する。ＣＥＣ制御装置本体１ａは受光ユニット２および制御情報記憶部４からなる。
ＣＥＣ制御装置本体１ａの一部を形成する受光ユニット２は、リモコンＲＣから送信される信号を常時受光可能な受光部２１と、受光部２が受光するか否かを常に監視し、受光した場合に受信信号を解析して指示信号へ復調可能な指示信号復調手段である指示信号デコード部２２とを有し、それぞれが情報の送受信可能に接続されており、指示信号デコード部２２がデコードした指示信号を出力可能に接続される。従って、受光ユニット２では、常にリモコンＲＣからの送信の有無を監視し、受信した際に受信した信号を指示信号デコード部２２が復調して受信信号に含まれていた指示信号を復調して制御部３へ出力可能である。
尚、この発明では、リモコンＲＣから出力される信号が赤外光であるとして説明しているため受光部２１であるが、他の帯域の電磁波であっても良くこの場合には受光部２１が受信部として機能することとなり、受光部２１はリモコンＲＣからの信号を受信可能な手段によって形成される。
【００２５】
また、ＣＥＣ制御装置本体１ａには制御情報記憶部４を備える。制御情報記憶部４はメモリであり、制御部３と接続され、制御部３からの記憶情報照会に応じて記憶されている情報を制御部３へ出力可能である。制御情報記憶部４には受光ユニット２でデコードされた制御信号に見合ったコントロール情報が予め記憶されている。そして制御情報記憶部４に記憶されるコントロール情報は、ＣＥＣ機器ＭＡを制御可能な情報であり、ＣＥＣ機器ＭＡのベンダーコードによって特定されるベンダー毎にそのベンダーコードと紐付けてコントロール情報が記憶されている。そして、制御情報記憶部４では、制御部３が照会時に手がかりとするベンダーコードに紐付けられて記憶されている各種コントロール情報から受光ユニット２がデコードして制御部３へ出力した指示信号に見合ったコントロール情報が読み出されることとなる。
制御情報記憶部４に記憶されているコントロール情報は、ベンダーコードによって特定されるベンダー毎に異なる情報であり、例えば、電源をＯＮさせるベンダーコードでも、特定のベンダーにより製造された機器以外では、電源をＯＮさせる制御コードとして認識されない。従って、ベンダーコードによって特定されるベンダーに合致したコントロール情報の出力が成されないと、制御しようとしているＣＥＣ機器ＭＡは適正に制御することが出来ない。そこで、制御情報記憶部４には、ベンダーコード毎にコントロール情報を記憶させてある。そして各コントロール情報はベンダーコードと紐付けられて記憶されている。従って、所望のコントロール情報は、ベンダーコードと紐付けて記憶されているコントロール情報を制御情報記憶部４から出力することで、出力したコントロール情報によってＣＥＣ機器ＭＡを適正に制御可能となる。
【００２６】
３は制御部である。制御部３は、この実施例ではパソコンＰＣに備えるＣＰＵおよびＣＰＵと接続されるメモリ等によって形成する。制御部３は、ＣＥＣ機器ＭＡとの接続を行えるＣＥＣ規格に則ったインターフェースＩＦを備える。インターフェースＩＦは、ＨＤＭＩケーブルによってＣＥＣ機器ＭＡと信号入出力可能に接続できる。
また、制御部３は、ＣＥＣ制御装置本体１ａと信号入出力可能に接続される。この接続は、ＵＳＢ接続およびＣＥＣ通信可能な接続により、受光ユニット２および制御情報記憶部４と信号入出力可能に接続する。
制御部３には、インターフェースＩＦと外部接続されるＣＥＣ機器ＭＡにベンダーコードを出力するよう指示するベンダーコード取得指示手段３１を設ける。更に、制御部３には、ベンダーコード取得指示手段３１によって指示し外部接続されるＣＥＣ機器ＭＡから取得するベンダーコードを一時的に記憶しておく記憶手段３２を設ける。そして更に制御部３には制御部本体３３を設け、制御部本体３３がベンダーコード取得指示手段３１および記憶手段３２と信号入出力可能に接続する。
このように制御部３は、接続しているインターフェースＩＦが外部に設けるＣＥＣ機器ＭＡと接続されるので、制御部３も外部に設けるＣＥＣ機器ＭＡと接続されることとなる。制御部３は、ＣＥＣ機器ＭＡが接続されると、ＣＥＣ機器ＭＡが発信するキャリアを受信可能である。このキャリア信号は、ＣＥＣ規格によって予め定められており、ＣＥＣ機器ＭＡ相互が接続されたことを認識可能となるように接続時にＣＥＣインターフェースを通じて発信するものである。従って、制御部３では、ＣＥＣ機器ＭＡと接続がなされると自動的にＣＥＣ機器ＭＡが接続されたことを認識する。
【００２７】
ベンダーコード取得指示手段３１は、ＣＥＣ接続されるＣＥＣ機器ＭＡに対して出力指示することで、該ＣＥＣ機器ＭＡが自身のベンダーコードを出力するように指示する信号を予め記憶されており、制御部本体３３の指示により該信号を出力可能である。このベンダーコード出力指示信号は制御部本体３３を介してインターフェースＩＦから外部接続される該ＣＥＣ機器ＭＡへ出力される。その際、ベンダーコード取得手段３１から出力するベンダーコード出力指示信号は、ＣＥＣ変復調手段３４によってＣＥＣ規格に則って変調されてインターフェースＩＦを介して出力されることとなる。
【００２８】
記憶手段３２は、ベンダーコード取得指示手段３１が出力指示した結果ＣＥＣ接続を介して受領したＣＥＣ機器ＭＡのベンダーコードを、制御部本体３３の指示により記憶可能であると共に制御部本体３３の指示により記憶したベンダーコードを出力可能である。この記憶は制御部本体３３によって書き込まれることを意味し、同じく出力は制御部本体３３によって読み出されることを意味する。尚、この実施例では、ベンダーコードを制御部本体３３により読み出され、後に受光ユニット２が受領した制御情報を制御情報記憶部４へ参照に行くように説明したが、詳細には、制御部本体３３が、取得したベンダーコードに対応する制御情報が記憶されている制御情報記憶部４の記憶位置を、取得したベンダーコードと予め用意されたテーブルデータとを比較し特定して記憶手段３２に記憶しておき、記憶手段３２に記憶されている制御情報記憶部４の記憶領域へ参照に行く。従って、記憶手段３２は取得したベンダーコードに対応して制御情報記憶部４に記憶されている制御情報の参照場所を記憶している。
【００２９】
制御部本体３３は、外部接続されるＣＥＣ機器ＭＡがＣＥＣ接続を完了した際のキャリアを取得すると、ベンダーコード取得指示手段３１からベンダーコードを取得するためのベンダーコード取得指示信号を出力させる。また制御部本体３３は、ベンダーコード取得指示手段３１が出力指示したベンダーコードを受領して記憶手段３２へ記憶させる。このようにＣＥＣ機器ＭＡからはベンダーコードが送信されて制御部３で取得する。そして、取得したベンダーコードは制御部３に記憶手段３２に記憶する。制御部３に備える記憶手段３２は、ベンダーコードを記憶すると、以後記憶されたベンダーコードに対応したコントロール情報を制御情報記憶部４へ問い合わせ可能とさせる。
また制御部本体３３は、受光ユニット２から出力された指示信号を入力可能であり、指示信号を入力すると、記憶手段３２に記憶しているベンダーコードを読み出し、該ベンダーコードに紐付けて記憶されているコントロール情報のうち受光ユニット２から取得した指示信号に対応するコントロール情報を、制御情報記憶部４へ照会して制御情報記憶部４に出力させる。即ち制御情報記憶部４から読み出し可能である。
【００３０】
また、制御部３には、ＣＥＣ変復調手段３４を備える。このＣＥＣ変復調手段３４は、ベンダーコード取得手段３１の出力するベンダーコード出力指示信号を入力可能に、また、受光ユニット２が取得した制御信号を入力可能に制御部本体３３と接続され、且つ、インターフェースＩＦと接続され、インターフェースＩＦを介して通信する際の信号をＣＥＣ規格に則って変調、および、復調可能である。ベンダーコード取得指示手段３１が御部本体３３の指示により、接続されるＣＥＣ機器ＭＡに対して出力するとベンダーコード出力指示信号を受領し、ＣＥＣ規格に則った信号へ変調可能であり、変調されたベンダーコード出力指示信号がＣＥＣ変復調手段３４と接続されているインターフェースＩＦを介し、外部接続されている制御対象の該ＣＥＣ機器ＭＡへ出力されることとなる。またＣＥＣ変復調手段３４は、制御部本体３３と接続され、制御部本体３３が受光ユニット２から指示信号を入力して後、制御情報記憶部４へコントロール情報の照会を行い、ベンダーコードに対応したコントロール情報を取得すると、該コントロール情報をＣＥＣ機器で受信可能な送信信号へ変調して出力可能である。また、ベンダーコード取得指示手段３１がＣＥＣ機器ＭＡへベンダーコードを問い合わせる際にも、ＣＥＣ変復調手段３４がベンダーコードを問い合わせるベンダーコード取得指示信号をＣＥＣ規格に則って変調し出力可能である。尚、ＣＥＣ変復調手段３４は、この実施例では、変調および復調可能な１つの手段として説明したが、変調および復調の手段をそれぞれＣＥＣ変調手段とＣＥＣ復調手段として分割して構成してもよい。更にまた、ＣＥＣ変復調手段３４は、制御部本体３３と接続しベンダーコード取得手段３１の出力したベンダーコード出力指示信号、あるいは、受光ユニット２が取得した指示信号を制御部本体３３から入力されるように説明しているが、受光ユニット２およびベンダーコード取得手段３１に直接接続されるように形成しても良い。
更に制御部本体３３は、制御情報記憶部４から読み出したコントロール情報をインターフェースＩＦを介して外部接続されているＣＥＣ機器ＭＡへ出力可能である。この時出力されるコントロール情報は、ＣＥＣ機器ＭＡを適正に制御可能なコントロールコマンドとなっている。
【００３１】
上記のように構成するＣＥＣ制御装置１は、インターフェースＩＦにＣＥＣ機器ＭＡが接続されると、制御部本体３３が外部接続されたＣＥＣ機器ＭＡからキャリアを取得する。制御部本体３３がキャリアを取得すると、制御部本体３３はベンダーコード取得指示手段３１にベンダーコードの取得を指示させる情報を出力させる。
ベンダーコード取得指示手段３１ではこの指示に従いベンダーコード取得指示信号を制御部本体３３およびインターフェースＩＦを介して外部接続されているＣＥＣ機器ＭＡへ出力する。その際、ＣＥＣ変復調手段３４はベンダーコードを問い合わせるベンダーコード取得指示信号をＣＥＣ規格に則って変調し出力可能である。
すると、外部接続されるＣＥＣ機器ＭＡでは、ベンダーコード取得指示信号を入力するので、該信号に従ってベンダーコード情報を出力することとなる。
上記のようなベンダーコード取得指示信号の出力に対するベンダーコード情報の出力は、既にＣＥＣ機器ＭＡでは通常行われている既知の技術であるので詳細は記載しない。
【００３２】
ＣＥＣ機器ＭＡから出力されたベンダーコード情報は、インターフェースＩＦを介して制御部本体３３によって取得される。制御部本体３３では、受領したベンダーコードを記憶手段３２へ記憶させる。記憶手段３２へ記憶したベンダーコードは、制御部本体３３からの読み出しにより読み出されることとなる。
【００３３】
利用者がＣＥＣ機器ＭＡを操作するためにリモコンＲＣを操作すると、リモコンＲＣからは操作信号が出力される。この操作信号は、例えば電源のＯＮ・ＯＦＦであったり、再生（ＰＬＡＹ）であったり、停止（ＳＴＯＰ）或は早送り・早戻し、一時停止などの命令である。
リモコンＲＣから出力された操作信号は、受光ユニット２の受光部２１が受光する。受光ユニット２では、受光部２１が受光した受信信号を指示信号デコード部２２が受領してデコードし、指示信号を取得する。そして取得した指示信号を制御部３へ出力する。
即ち、例えば、受光ユニット２がリモコン５のスタートボタンが押された際の「スタート」信号を受信すると、受光ユニット２では、受光部２１が「スタート」を指示する受信信号を受光し、指示信号デコード部２２へ出力する。指示信号デコード部２２では、受領した「スタート」受信信号をデコードして「スタート」を指示する指示信号を制御部３へ出力する。
制御部３では制御部本体３３が該信号を受領する。制御部本体３３は、受光ユニット２から指示信号を受光すると記憶手段３２からベンダーコードを読み出し、制御情報記憶部４へコントロール情報の参照を行う。即ち、制御情報記憶部４にベンダーコードに紐付けて記憶されているコントロール情報を読み出す。
【００３４】
次いで制御部本体３３は、制御情報記憶部４から読み出して取得したコントロール情報をインターフェースＩＦを介して外部接続されるＣＥＣ機器ＭＡへＣＥＣ変復調手段３４によって変調を行い出力する。
すると、コントロール情報を受領したＣＥＣ機器ＭＡは、コントロール情報に基づいて動作を行う。
【００３５】
尚、上記実施例では、ＣＥＣ制御装置１をパソコンＰＣに外部接続させるＣＥＣ制御装置本体１ａとパソコンＰＣとによって構成するように説明したが、ＣＥＣ制御装置本体１ａとパソコンＰＣとによらず、ＣＥＣ制御装置１をパソコンＰＣと関わりなく構成してパソコンＰＣとＣＥＣ接続およびＵＳＢ接続等の適宜方法によって接続させ、パソコンＰＣを介してパソコンＰＣに外部接続するＣＥＣ機器ＭＡを制御するように構成してもよい。同様に、ＣＥＣ制御装置１を単体として構成し、直接ＣＥＣ機器ＭＡと接続して制御可能としても良く、また、ＣＥＣ機器ＭＡの中に組み込み（一部機能をＣＥＣ機器ＭＡと共用することを含む。）ＣＥＣ機器ＭＡの一部として利用するように構成しても良く、何れの場合にも受光ユニット２および制御部３を備え、インターフェースＩＦを備えればよい。
【００３６】
上記実施例では接続されるＣＥＣ機器ＭＡからベンダーコード取得指示手段３１によって取得したベンダーコードを、記憶手段３２に記憶させておき、受光ユニット２がリモコンＲＣからの信号に基づき指示信号を取得すると記憶手段３２に記憶させたベンダーコードと指示信号とから、ＣＥＣ機器を制御するコントロール情報を制御情報記憶部４へ問い合わせて取得するように構成した。しかしながら、以下に表す実施例では、ＣＥＣ機器ＭＡからベンダーコードを入力すると、ベンダーコードに基づいて制御情報記憶部４の記憶領域中、ベンダーコードに紐付けて記憶されている領域、即ち、制御情報の参照領域を予め記憶手段に記憶しておいて受光ユニット２がリモコンＲＣから指示信号を取得した際に該領域を参照するようにしている。
即ち、先の装置の構成自体は実施例同様であるが、記憶手段３２がベンダーコード取得指示手段３１によって取得したベンダーコードを記憶するのではなく、制御手段３では、ベンダーコード取得指示手段３１によってベンダーコードを取得すると、該ベンダーコードに対応して記憶されているＣＥＣ制御情報の参照場所を記憶可能である。そしてこの参照場所は、予め複数のベンダーに対応したＣＥＣ制御情報をベンダーコードによって特定されるベンダー毎に対応させて記憶させた制御情報記憶部４の参照箇所として記憶される。
従って、制御部３では、受光ユニット２がリモコンＲＣからの受信信号に基づいて取得した指示信号に対応するコントロール情報を受領すると、記憶手段３２から制御情報記憶部４の参照すべき記憶領域を取得し、該領域からコントロール情報を取得する。
従って、制御手段３が、ベンダーコード取得指示手段３１によって取得したベンダーコードと受光ユニット２が取得した指示信号とに基づいてコントロール情報を制御情報記憶部４へ問い合わせる際の問い合わせ方は、種々考えられるが、取得したベンダーコードに対応するコントロール情報を制御情報記憶部４から取得するのであれば、どの様な手法によっても良い。
【産業上の利用可能性】
【００３７】
この発明は、ＣＥＣ機器を接続してリモートコントロールを行う際に利用可能であり、ＣＥＣ機器への内蔵、パソコンへの利用等、種々の利用可能性が考えられる。
【図面の簡単な説明】
【００３８】
【図１】この発明の概要を説明する接続説明図
【図２】この発明の実勢例を表すブロック説明図
【図３】従来例を表すブロック説明図
【符号の説明】
【００３９】
ＭＡ  ＣＥＣ機器
ＩＦ  インターフェース
ＣＡ  ＨＤＭＩケーブル
ＲＣ  リモートコントローラ
１    ＣＥＣ制御装置
ＰＣ  パーソナルコンピュータ
１ａ  ＣＥＣ制御装置本体
２    受光ユニット
２１  受光部
２２  指示信号デコード部
３    制御部
３１  ベンダーコード取得指示手段
３２  記憶手段
３３  制御部本体
３４  ＣＥＣ変復調手段
４    制御情報記憶部
【図１】
2009194830.tif 000003
【図２】
2009194830.tif 000004
【図３】
2009194830.tif 000005